(57)【要約】  組立体１００は、ネック部２を伴う容器１と、ネック部２と結合される不正開封明示閉鎖体１０と、を備える。ネック部２は、ネック部８及び斜面９を伴う、突出部７を有する。閉鎖体１０は、溝８及び斜面９と係合する２つの部分１７、１８を伴うスカート１５を備える。スカート１５は、ネック部２に対して回転させられ、その直径を拡大して、ネック部２からスカート１５を外すことができる。
2018526292.tif 000002
【特許請求の範囲】
【請求項１】
組立体（１００）であって、
−ネック部（２）と口（３）とを伴う容器（１）であって、前記ネック部が長手軸（Ｘ−Ｘ）に沿って延びかつ最上部において前記口（３）の境界を成す環状縁（４）で終端する、容器と、
−前記口（３）を開閉するために前記容器（１）に結合された不正開封明示閉鎖体（１０）と、
を備え、
前記ネック部（２）が、
−下側部分（５ａ）と上側部分（５ｂ）との間で前記長手軸（Ｘ−Ｘ）に沿って延びる管状壁（５）であって、前記環状縁（４）が前記上側部分（５ｂ）の上端に形成される、管状壁（５）と、
−前記環状縁（４）の長手方向下方にかつ前記環状縁に隣接して前記管状壁（５）の外面に形成されたネジ部（６）であって、前記ネジ部が最小直径Ｄ１及び最大直径Ｄ２を有し、下側端（６ａ）と上側端（６ｂ）との間で長手方向へ延びる、ネジ部（６）と、
−前記ネジ部（６）の前記下側端（６ａ）の長手方向下方において前記管状壁（５）の外面に形成された突出部（７）であって、前記突出部（７）が前記ネジ部（６）の前記最小直径Ｄ１より大きくかつ前記ネジ部（６）の前記最大直径Ｄ２以下の最大直径Ｄ３を有する、突出部（７）と、
−前記突出部（７）に形成され、前記突出部（７）の前記最大直径Ｄ３より小さくかつ前記ネジ部（６）の前記最大直径Ｄ２より小さい最小直径Ｄ４を伴い、第１端部（８ａ）と第２端部（８ｂ）との間で円周又は螺旋方向へ延びる、溝（８）と、
−前記溝（８）の前記第２端部（８ｂ）を前記突出部（７）の一部分（７ｃ）と結合し、それにより前記溝（８）の前記最小直径Ｄ４を前記突出部（７）の前記最大直径Ｄ３に接合するように、前記円周又は螺旋方向へ延びる、斜面（９）と、
を備えることを特徴とし、
かつ、前記不正開封明示閉鎖体（１０）が、
−前記口（３）を開閉するように構成された閉鎖部材（１１）であって、当該閉鎖部材（１１）が、上部壁（１２）とスリーブ（１３）とを備え、前記スリーブ（１３）が前記ネック部（２）の外側に同軸に配置されかつ前記上部壁（１２）と下縁（１３ａ）との間に長手方向へ延び、前記スリーブ（１３）が、前記容器（１）の前記ネジ部（６）と取外し可能に係合するネジ部（１４）を備える、閉鎖部材（１１）と、
−前記ネック部（２）の外側に同軸にかつ前記スリーブ（１３）の長手方向下方に配置されたスカート（１５）であって、当該スカート（１５）が、上縁（１５ａ）と下縁（１５ｂ）との間に最大直径Ｄ５で長手方向へ延び、当該スカート（１５）の前記上縁（１５ａ）が脆弱部分（１６）によって前記スリーブ（１３）の前記下縁（１３ａ）に接続され、前記脆弱部分が、最初の開封時に破損して前記閉鎖部材（１１）を前記ネック部（２）から取り外せるように構成され、当該スカート（１５）が、第１取付け部分（１７）と第２取付け部分（１８）とを有し、前記第１取付け部分（１７）が、前記溝（８）の中に係合して、最初の開封時に前記ネック部（２）に長手方向へ取り付けられた前記スカート（１５）を保持し、前記溝（８）の前記第１端部（８ａ）と前記第２端部（８ｂ）との間に最小直径Ｄ６で延び、前記第２取付け部分（１８）が、前記斜面（９）と係合して、前記最大直径Ｄ５を有するスカート部分（１８）と前記最小直径Ｄ６を有する前記第１取付け部分（１７）を接合して、前記ネック部（２）から前記閉鎖部材（１１）を取り外したとき、前記スカート（１５）を前記ネック部（２）に対して回転させて、前記第１取付け部分（１７）を前記斜面（９）に対して係合させて、前記第１取付け部分の直径を前記最大直径Ｄ５まで拡大し、それによって、前記第１取付け部分（１７）を前記溝（８）から外して、前記スカート（１５）を前記ネック部（２）からスライドして離せるようにする、スカートと、
を備えることを特徴とする、
組立体（１００）。
【請求項２】
前記容器（１）がガラスで作られている、請求項１に記載の組立体（１００）。
【請求項３】
前記容器（１）がプラスチックで作られている、請求項１に記載の組立体（１００）。
【請求項４】
前記不正開封明示閉鎖体（１０）が、金属好ましくはアルミニウムで作られている、請求項１〜３のいずれか１項に記載の組立体（１００）。
【請求項５】
前記溝（８）が、前記突出部（７）において前記脆弱部分（１６）の長手方向下方に延びる、請求項１〜４のいずれか１項に記載の組立体（１００）。
【請求項６】
前記斜面（９）が、前記溝（８）との間に１５°〜４５°の範囲の傾斜角度を形成する、請求項１〜５のいずれか１項に記載の組立体（１００）。
【請求項７】
前記スカート（１５）の前記下縁（１５ｂ）が、前記ネック部（２）の前記管状壁（５）の下側部分（５ａ）に隣接させられる、請求項１〜６のいずれか１項に記載の組立体（１００）。
【発明の詳細な説明】
【技術分野】
【０００１】
本発明は、容器及び再利用可能な不正開封明示閉鎖体の組立体に関する。
【背景技術】
【０００２】
不正開示明示閉鎖体は、技術上知られている。これらの閉鎖体は、概略的に、閉鎖体の残り部分と取外し可能に結合されるキャップ自体と、最初の開封の証拠を与える不正開封明示要素と、を含む。
【０００３】
ほとんどの閉鎖体において、少なくとも１つの要素は、最初の開封後容器に取り付けられたままである。この要素は、明白に分かり、容器の耐用期間中、容器に取り付けられたままであるように設計される。
【０００４】
製品の環境への影響に関する懸念が増大しているので、安全閉鎖体の環境への影響を減少する必要性が増々感じられるようになっている。
【０００５】
製品の環境への影響の減少は、同じ材料で作られる又は容易に分離できる部品から製品を作ることによって得られることが分かっている。
【０００６】
典型的には、容器の耐用期間中容器に留まるように設計された要素を備える安全閉鎖体の特定の事例において、容器は、リサイクル業において使用される標準的な分離技術を用いては、容器に取り付けられた要素から容易に分離されない。
【０００７】
したがって、要素は、容器再利用プロセスにおいて汚染源になっている。
【０００８】
国際公開第２００８／９５８６３号、米国特許第４１５６４９０号明細書、米国特許第３００１６５７号明細書、英国特許第４０７３８６号明細書、英国特許第３７４３９４号明細書、英国特許第３６２１０１号明細書、仏国特許第１１０８２１２号明細書及び仏国特許第７２３２２０号明細書は、下側ネジ部（threads）及び上側ネジ部を伴うネック部を有し、かつ、下側ネジ部と係合する下側部分及び上側ネジ部と係合する上側部分を伴う、ネック部に適用される閉鎖体を有する、容器を開示する。最初の開封において、下側ネジ部は下側部分を容器に保持する。但し、容器は、最初の開封後下側部分を取り外すことを許容しない。
【０００９】
容器の再利用を改良するために、容器の再利用プロセスにおいて閉鎖体のどの要素も汚染源にならないように、閉鎖体を容易に分離できるようにする容器を提供する必要性も感じる。
【００１０】
国際公開第２０１２／１５０５６９号は、容器ネック部がネジ部を有する不正開封明示閉鎖体と、ネック部の少なくとも１つの長手断面に沿ってネジ部を覆って延びる係合面と、を伴う、容器組立体を開示している。この構成はネック部からの閉鎖体の除去を許容するが、ネック部の製造においてある程度の複雑さを伴う。
【００１１】
英国特許第２２６１６５６号明細書、オーストリア特許第４１３８１６号明細書、英国特許第４３０６００号明細書、英国特許第４５９９９３号明細書、国際公開第９８／０９８７９号は、閉鎖体の偶発的開封を防止し及び／又はネジ部が与えられない場合に容器の開封を支援することを目的とする技術的構成を開示する。
【発明の概要】
【発明が解決しようとする課題】
【００１２】
したがって、上述の先行技術を鑑み、本発明の目的は、ネジが切られたネック部を有する容器から、ネジが切られた不正開封明示閉鎖体を完全かつ容易に分離できるようにする組立体を提供することである。
【課題を解決するための手段】
【００１３】
本発明によれば、この目的は、請求項１に規定する組立体によって達成される。
【００１４】
突出部に形成されて不正開封明示閉鎖体のスカートのそれぞれの部分に係合する溝及び斜面を伴う、ネック部を提供することによって、斜面は、溝に係合するスカートの部分の直径を拡大しそれによって容器からスカートを容易に分離するために使用できる。
【００１５】
本発明の特徴及び利点は、添付図面において限定無しに示される１つの実用的実施形態の下記の詳細な説明から明らかになる。
【図面の簡単な説明】
【００１６】
【図１】本発明の第１実施形態に従った容器のネック部の側面図である。
【図２】図１のネック部の断面図である。
【図３】図１のネック部及び本発明の第１実施形態に従った閉鎖体の組立体の側面図である。
【図４】図３の組立体の断面図である。
【図５】本発明の第２実施形態に従った容器のネック部の側面図である。
【図６】図７の組立体の断面図である。
【図７】図５のネック部及び本発明の第２実施形態に従った閉鎖体の組立体の側面図である。
【発明を実施するための形態】
【００１７】
添付図面を参照すると、番号１００は、本発明の実施形態に従った組立体全体を指す。
【００１８】
組立体１００は、容器１と不正開封明示閉鎖体１０とを含む。
【００１９】
容器１は、プラスチック材料で作ることができるのに対して、不正開封明示閉鎖体１０は、金属特にアルミニウムで作るのが好ましい。
【００２０】
容器１は、本体（図示せず）を有し、口３を伴うネック部２が本体から長手軸に沿って延びる。口３は、容器１の注ぎ口を形成し、注ぎ口から容器１の中身を注ぐことができる。
【００２１】
ネック部２は、長手軸Ｘ−Ｘに沿って延びて、最上部において口３の境界を成す環状縁４によって終端する。不正開封明示閉鎖体１０は、それぞれ容器１の中身を注げるようにするために又は注ぐのを防止するために、口３を開け閉めするように容器１に結合される。
【００２２】
ネック部２は、下側部分５ａと上側部分５ｂとの間で長手軸Ｘ−Ｘに沿って延びる管状壁５を備え、環状縁４が上側部分の上端に形成される。
【００２３】
ネック部２は、更に、環状縁４の長手方向下方にかつ環状縁に隣接して管状壁５の外面に形成されたネジ部（threads）６を含む。ネジ部６は、下側端６ａと上側端６ｂとの間で長手方向へ延び、山６ｃと谷６ｄとを有する。谷６ｄは、ネジ部６の最小直径Ｄ１を画定し、山６ｃはネジ部６の最大直径Ｄ２を画定する。
【００２４】
ネック部２は、更に、ネジ部６の長手方向下方に特にネジ部６の下側端６ａの長手方向下方に、管状壁５の外面に形成された突出部７を含む。
【００２５】
突出部７は、ネジ部６の最小直径Ｄ１より大きくかつネジ部６の最大直径Ｄ２より小さい又はこれに等しい最大直径Ｄ３を有する。
【００２６】
突出部７は、下側ショルダ７ａ及び上側ショルダ７ｂを有する。
【００２７】
下側ショルダ７ａは管状壁５の下側部分５ａに接合するのに対して、上側ショルダ７ｂはネジ部６の下側端６ａに接合する。
【００２８】
溝８が、突出部７に形成され、第１端部８ａと第２端部８ｂとの間で円周方向又は螺旋方向へ延び、最小直径Ｄ４は、突出部７の最大直径Ｄ３より小さくかつネジ部６の最大直径Ｄ２より小さい。
【００２９】
溝８は、特に溝８の第２端部８ｂを突出部７の部分７ｃ（最大直径Ｄ３を有する）に接合し、それによって溝８の最小直径Ｄ４を突出部７の最大直径Ｄ３に接合するために、円周方向又は螺旋方向へ延びる斜面９によって突出部７に接合される。
【００３０】
不正開封明示閉鎖体１０は、口を開閉するために、容器１特にネック部２に結合される。
【００３１】
このような閉鎖体１０は、閉鎖部材１１と、脆弱部分１６を介して閉鎖部材１１に接続されるスカート１５と、を備え、脆弱部分は、容器１の最初の開封時に破損して、閉鎖部材１１をネック部２から取り外せるように構成される。
【００３２】
閉鎖部材１１は、口３を開閉するように構成され、このために、好ましくはガスケット１２ａを備える上部壁１２と、スリーブ１３と、を備える。スリーブ１３は、ネック部２の外側に、特にネック部２の上側部分５ｂに、同軸的に配置される。
【００３３】
スリーブ１３は、上部壁１２と下縁１３ａとの間で長手方向へ延び、容器１のネジ部６と取外し可能に係合するネジ部１４を備えており、閉鎖部材１１を容器のネック部２から取り外せるようにして、したがって、口３を開閉できるようにする。特に、スリーブ１３のネジ部１４は、ネック部２のネジ部６上でスリーブ１３を回転させることによって形成される。
【００３４】
スカート１５は、ネック部２の外側で同軸にかつスリーブ１３の長手方向下方に配置される。好ましくは、閉鎖部材１１及びスカートは、一体で形成され、脆弱部分１６を介して接続される。脆弱部分１６は、破壊可能な軸方向のブリッジ、１本の線状弱体部又は切取りタブを用いて形成できる。このような脆弱部分１６は、閉鎖体１０したがって容器１の最初の開封が行われたことの証拠を与える。
【００３５】
スカート１５は、上縁１５ａと下縁１５ｂとの間で長手方向にその最大直径Ｄ５で延びる。
【００３６】
スカート１５の上縁１５ａは、脆弱部分１６を介してスリーブ１３の下縁１３ａに接続される。
【００３７】
１つの実施形態において、スカート１５の下縁１５ｂの上縁１５ｂは、管状壁５の下側部分５ａに隣接させられる。
【００３８】
スカート１５は、第１取付け部分１７と第２取付け部分１８とを有する。
【００３９】
第１取付け部分１７は、溝８内部に係合して、最初の開封時にネック部２に長手方向に取り付けられたスカート１５を保持し、溝８の第１端部８ａと第２端部８ｂとの間においてその最小直径Ｄ６で延びる。
【００４０】
第２取付け部分１８は斜面９と係合して、最小直径Ｄ６を伴う第１取付け部分１７を、最大直径Ｄ５を伴うスカート１８の部分に接合する。
【００４１】
このように、斜面９が、最小直径Ｄ４を伴う溝８を、最大直径Ｄ３を伴う突出部７に接合するので、第２取付け部分１８は、最小直径Ｄ６を伴う第１取付け部分１７を、最大直径Ｄ５を伴うスカート１５と接合する。
【００４２】
最初の開封時に閉鎖部材１１がネック部２から取り外されると、容器の処分時にスカート１５をネック部２から容易に分離できる。
【００４３】
このために、スカート１５は、第１取付け部分１７を斜面９に対して係合させて第１取付け部分の直径をスカート１５の最大直径Ｄ５まで拡大させる方向へネック部２に対して回転できる。
【００４４】
この構成において、第１取付け部分１８は、溝８から外すことができ、スカート１５は、ネック部２からスライドして離すことができる。即ち、スカート１５は、長手方向へネック部２のネジ部６の外側を長手方向へ移動できる。
【００４５】
スカート１５の回転及び斜面９との係合の結果としての第１取付け部分１７の直径の拡大を助けるために、斜面９は、溝８との間に１５°〜４５°の範囲の傾斜角度を形成する。
【００４６】
１つの実施形態において、溝８は、突出部７において脆弱部分１６の長手方向下方に延びる。特に、円周構成では、溝８が、脆弱部分１６の下方に配置されるのに対して、第１端部８ａが上端として機能し、第２端部８ｂが下端として機能する螺旋構成では、上端８ａが、脆弱部分１６の下方に配置される。これによって、脆弱部分１６は、最初の開封時に、スカート１５と突出部７（特に溝８及び斜面９）との係合を変化させることなく破損できる。
【００４７】
上記の開示は、本発明の意図する目的を達成することを明白に示す。
【００４８】
当業者には、付随的及び具体的必要に応えるために、上述の構成体に多くの変更及び変化を加えることができることが明白であろう。これらの変更及び変化は全て、以下の特許請求の範囲において規定される本発明の範囲内にある。
【図１】
2018526292.tif 000003
【図２】
2018526292.tif 000004
【図３】
2018526292.tif 000005
【図４】
2018526292.tif 000006
【図５】
2018526292.tif 000007
【図６】
2018526292.tif 000008
【図７】
2018526292.tif 000009
【国際調査報告】
2018526292.tif 000010
2018526292.tif 000011